(57)【要約】【課題】オークションに携帯電話等を利用して参加し、各オークション会場の大量の最新オークションデータを基にオペレーションリサーチし、マッチングしたデータだけを瞬時にレスポンスするシステム及びネット競売システムを提供することにある。【解決手段】物品をオペレーションリサーチしてマッチングしたデータだけを瞬時にレスポンスする手段、競売に参加する手段、物品を出品する手段、物品を査定する手段、マッチングしたデータを専用端末上に任意に表示する手段及び競売を管理する手段を少なくとも有し、物品をオペレーションリサーチしてマッチングしたデータだけを瞬時にレスポンスする手段、競売に参加する手段、物品を出品する手段、及び物品を査定する手段は、専用端末を使用することによって任意の時間に任意の場所で実行されることによって解決される。【選択図】　　図２
2004054856.tif 000002
【特許請求の範囲】
【請求項０１】
販売業者，売手業者又は買手業者の専用端末（１−１〜１−ｎ；２−１〜２−ｎ）と管理サーバ（３）とデータベースサーバ（４）とオークションサーバ（５）と通信回線（ａ〜ｆ）とから構成された、オークションに携帯電話等を利用して参加し、各オークション会場の大量の最新オークションデータを基にオペレーションリサーチし、マッチングしたデータだけを瞬時にレスポンスするシステム及びネット競売システムにおいて、
物品をオペレーションリサーチしてマッチングしたデータだけを瞬時にレスポンスする手段、競売に参加する手段、物品を出品する手段、物品を査定する手段、マッチングしたデータを専用端末（１−１〜１−ｎ；２−１〜２−ｎ）上に任意に表示する手段及び競売を管理する手段を少なくとも有し、物品をオペレーションリサーチしてマッチングしたデータだけを瞬時にレスポンスする手段、競売に参加する手段、物品を出品する手段、及び物品を査定する手段は、専用端末（１−１〜１−ｎ；２−１〜２−ｎ）を使用することによって任意の時間に任意の場所で実行されることを特徴とするネット競売システム。
【請求項０２】
専用端末（１−１〜１−ｎ；２−１〜２−ｎ）は、データ通信機能及び小型カメラ又はデータ通信機能若しくは小型カメラを備えた携帯電話であることを特徴とするオークションに携帯電話等を利用して参加し、各オークション会場の大量の最新オークションデータを基にオペレーションリサーチし、マッチングしたデータだけを瞬時にレスポンスするシステム及びネット競売システム。
【請求項０３】
全国各地に点在する競売会場に出品されている多数の物品に関するデータ若しくは全国各地に点在して住んでいる多数の売手業者が専用端末を通じて送信したその売手業者の物品に関するデータが、データベースサーバ（４）中に記憶されていることを特徴とする請求項１に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項０４】
各専用端末（１−１〜１−ｎ；２−１〜２−ｎ）と各サーバ（３，４，５）は、高速で大容量の通信回線（ａ〜ｆ）を通じてネットワーク化されていることを特徴とする請求項１に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項０５】
物品をオペレーションリサーチしてマッチングしたデータだけを瞬時にレスポンスする手段は、サイトスティック若しくはクイックアクセス（６）を専用端末（２−１〜２−ｎ）に差込むか、ＩＤを入力するか、サイトのホームページアドレスを入力するか、又は公式のサイトにアクセスして、データベースサーバ（４）にアクセスし、希望する物品の仕様に関する情報を入力し、入力した情報に合致した物品情報及びオペレーションリサーチしてマッチングしたデータだけを瞬時にレスポンスされた物品の仕様情報をオペレーションリサーチ結果として画面上に瞬時に表示し、必要に応じてその物品のさらに詳しい情報を文字又は写真で表示し、そして落札結果、落札された物品の情報及びこれらの操作に要したアクセス料をメール配信する手段であることを特徴とする請求項１に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項０６】
競売に参加する手段は、競売開始前に希望する物品の応札価格に対して任意の指し値が設定可能であることを特徴とする請求項１に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項０７】
物品を出品する手段は、物品に関する情報を入力したオークション出品票及び／又は物品自体を画像記録装置又は専用端末（１−１〜１−ｎ）で撮影し、これらの画像を画像データとして管理サーバ３へ送信する手段であることを特徴とする請求項１又は２に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項０８】
物品を出品する手段は、競売会場認定の査定士が売手業者のいる所まで出向いて出品票を画像データとして専用端末（１−１〜１−ｎ）を通じて競売会場に直接出品する手段であることを特徴とする請求項１又は２に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項０９】
オークション出品票は、その全体が撮影されて送信されるか、又はオークション出品票の少なくとも２つの部分ごとに撮影され、そのそれぞれの部分の画像データ又は入力した文字データが送信されることを特徴とする請求項７又は８に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項１０】
物品を評価査定する手段は、管理サーバ（３）がデータサーバ（４）中に蓄積された競売データと送信された中古車のデータを分析し、その中古車の評価査定結果を専用端末（１−１〜１−ｎ）に転送し、その専用端末（１−１〜１−ｎ）上に表示し、売手業者が、その評価査定結果に満足したときは、同意した旨の意思を、管理サーバ（３）に伝え、出品入力した売手業者がその査定結果に満足しないときは、その物品の出品を中止することを特徴とする請求項１に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項１１】
過去の落札データに基づくおよその予想落札価格が、価格査定結果として専用端末（１−１〜１−ｎ）上に表示され、その価格を目安にしてスタート価格を専用端末（１−１〜１−ｎ）に入力することを特徴とする請求項１０に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項１２】
データベースサーバ（４）は、競売中にアクセス可能であることを特徴とする請求項１に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項１３】
落札結果及び落札された中古車の情報が、オークションサーバ（５）から通信回線（ｅ，ｄ）を通じて電子メール等の通信手段によって専用端末１−１〜１−ｎ，２−１〜２−ｎに送信され、かつ通信回線（ｂ，ｃ）を通じてデータサーバ（４）に送信され、後の査定と競売用のデータとしてこのデータサーバ（４）中に記憶されることを特徴とする請求項１に記載のオークションに携帯電話等を利用して参加し、各オークション会場の大量の最新オークションデータを基にオペレーションリサーチし、マッチングしたデータだけを瞬時にレスポンスするシステム及びネット競売システム。
【請求項１４】
物品は、中古車であることを特徴とする請求項１〜１３のいずれか１項に記載のオークションに携帯電話等を利用して参加し、各オークション会場の大量の最新オークションデータを基にオペレーションリサーチし、マッチングしたデータだけを瞬時にレスポンスするシステム及びネット競売システム。
【発明の詳細な説明】
【０００１】
【発明の属する技術分野】
本発明は、販売業者，売手業者又は買手業者の専用端末と管理サーバとデータベースサーバとオークションサーバと通信回線とから構成された、オークションに携帯電話等を利用して参加し、各オークション会場の大量の最新オークションデータを基にオペレーションリサーチし、マッチングしたデータだけを瞬時にレスポンスするシステム及びネット競売システムに関する。
【０００２】
【従来の技術】
コンピュータネットワークを利用することによって各種の物品、特に中古車をリアルタイムで競売するシステムが、例えば特開平１−２１１１７１号公報から公知である。図１は、この競売システムの概略を示すブロック図である。この場合、予め入力された中古車の画像情報及び競り価格等の文字情報が、ホストコンピュータＡから通信回線を介して複数の中継コンピュータＢ１−ｎ　に送信され、さらにこれらの中継コンピュータＢ１−ｎ　から端末コンピュータＣ１１−ｍｎ　に送信される。送信された情報は、各端末のディスプレイ上に競り情報として表示される。
【０００３】
各買手業者が表示された競り価格に対して応札キーを介して応札のサインを入力すると、その応札のサインが中継コンピュータＢ１−ｎ　を介してホストコンピュータ１に入力される。競り上がり間隔は、競りの開始時は自動的に上がっていくが、競り状況に応じて売手業者のスローダウンキーの入力によってスローダウンできる。
【０００４】
競り値が希望価格に達した時、又は売手業者が売りの意思表示のためのクリアキーを入力した時は、最終的に応札者としてコンピュータに記憶された者が、落札者として決定される。そして、その旨がディスプレイを通じてその落札者に通知される。それ以外は、流札として次の競りへ移行する。
【０００５】
また、出品する中古車は、関連する文字情報を付加してビデオカメラやビデオレコーダーのような録画装置Ｄから端末コンピュータＣを介してリアルタイムでホストコンピュータＡに出品登録することができる。
【０００６】
しかしながら、このような従来の競売システムでは、競売中の処理はコンピュータネットワークによって省力化と効率化が図られている一方で、競売前の買手業者が落札しようとする中古車の検索及びオペレーションリサーチ，売手業者が競売にかけようとする中古車の出品，その中古車の評価査定及び価格査定の処理は、コンピューターネットワークによって完全に自動処理することは不可能であった。
【０００７】
例えば、中古車の検索にあっては、買手業者が競売会場まで出向いて現物を下見するか、又は毎日、競売会社が発行する出品リストを閲覧するしかなかった。中古車の出品にあっては、売手業者が競売会場に出向くか、又は中古車販売業者の展示場へ競売会場認定の査定士が出向く必要があった。また、中古車の評価査定にあっては、売手業者が所定の用紙にデータを手書き記入し、競売会場認定の査定士が、個々の眼で（競売会場独自の）評価基準にのっとり評価していた。
【０００８】
【発明が解決しようとする課題】
本発明の課題は、物品の検索及びオペレーションリサーチ又は出品から査定，登録，落札までの一連の処理をコンピューターネットワークによって完全に自動処理可能である、オークションに携帯電話等を利用して参加し、各オークション会場の大量の最新オークションデータを基にオペレーションリサーチし、マッチングしたデータだけを瞬時にレスポンスするシステム及びネット競売システム（以下、これらの両システムを「本発明のネット競売システム」と略記する）を提供することにある。
【０００９】
【課題を解決するための手段】
この課題は、物品をオペレーションリサーチしてマッチングしたデータだけを瞬時にレスポンスする手段、競売に参加する手段、物品を出品する手段、物品を査定する手段、マッチングしたデータを専用端末上に任意に表示する手段及び競売を管理する手段を少なくとも有し、物品をオペレーションリサーチしてマッチングしたデータだけを瞬時にレスポンスする手段、競売に参加する手段、物品を出品する手段、及び物品を査定する手段は、専用端末を使用することによって任意の時間に任意の場所で実行されることによって解決される。
【００１０】
【発明の実施の形態】
以下に、本発明のネット競売システムの実施の形態を中古車のネット競売を例に挙げ図面に基づいて詳しく説明する。
【００１１】
図２は、管理サーバ３とデータベースサーバ４と販売業者又は売手業者の専用端末１−１〜１−ｎと買手業者の専用端末２−１〜２−ｎとオークションサーバ５とから構成された本発明のネット競売システムを示す。
【００１２】
専用端末は、例えばデータ通信機能を備えた小型カメラ付きの携帯電話やＰＤＡのようなモバイル、パーソナルコンピュータ、テレビ端末等の通信機器である。
【００１３】
データベースサーバ４中には、全国各地に点在する競売会場に出品されている多数の中古車に関するデータ若しくは全国各地に点在して住んでいる多数の売手業者が専用端末を通じて送信したその売手業者の中古車に関するデータ、例えば図５中の各項目に関するデータや過去の競売で落札された中古車のデータ等の必要なデータが、競売の開始前、例えば少なくとも競売日の朝には既に記憶されている。
【００１４】
各専用端末及び各サーバは、ＡＤＳＬや光ファイバのような高速で大容量のインターネット環境を実現する通信回線を通じてネットワーク化されている。
【００１５】
図３は、買手業者が本発明のネット競売システムによって希望する中古車をオペレーションリサーチしてマッチングしたデータや画像を瞬時にレスポンスする手順の一例を示す。
【００１６】
希望の中古車を検索しようとする買手業者が、サイトスティック若しくはクイックアクセスを携帯電話に差込むか、ＩＤを入力するか、サイトのホームページアドレスを入力するか、又は公式のサイトにアクセスして、特定のネットオークション会社のサイト、すなわちデータベースサーバ４にアクセスする（▲１▼）。そのサイトが表示されたら、希望する中古車の仕様に関する情報をサイト画面中の項目にしたがって入力する（▲２▼）。入力した情報に合致した中古車情報、例えば「Ａ会場の１０２３号に出品されています」のような情報（▲３▼）及び検索及びオペレーションリサーチされたＡ会場に出品されている中古車の仕様情報（▲４▼）が、オペレーションリサーチ結果として画面上に表示される。さらに、画面の表示の指示にしたがってクリックして、その中古車の画像データ等のさらに詳しい出品情報等を入手できるようにしてもよい（▲５▼，▲６▼）。落札結果、落札された中古車の情報や以上の操作に要したアクセス料等が、あとでメール配信される。
【００１７】
したがって、買手業者は、競売会場又は自分の店へわざわざ出向かなくても所定の通信手段を使用することによって任意の時間に任意の場所からその中古車に関する情報を検索及びオペレーションリサーチすることができる。さらに、買手業者は、競売開始前までに希望の中古車に関する情報を事前に入手できるので、買手業者は、競売当日に余裕を持ってその競売に参加することが可能である。
【００１８】
買手業者が当日その競売に参加できないときは、競売開始前にその希望する中古車の応札価格を「指し値」として携帯電話でオークションサーバ５に対して送信しておくこともできる。この指し値は、１つだけでなくて２つ以上の指し値を設定入力できるようにしてもよいし、想定される競り価格に応じていろいろな条件で設定入力できるようにしてもよい。
【００１９】
なお、マッチングデータの精度の向上は、次世代型の電子頭脳によって解決される。
【００２０】
次に、売手業者が競売にかけようとする中古車の出品から落札までの手続きを図４〜７に基づいて説明する。
【００２１】
競売を希望する中古車の所有者（売手業者）が、その中古車の査定を競売会場認定の査定士に要求すると、この競売会場認定の査定士は、その中古車の査定を開始する。このとき、売手業者は、競売会場認定の査定士のいる場所へわざわざ出向かなくても所定の通信手段を使用することによって任意の時間に任意の場所からその中古車に関する情報を管理サーバ３に送信することもできる。すなわち、売手業者自身が、その中古車に関する情報を手書き入力した「オークション出品票」、又はその売手業者の所に出向いた競売会場認定の査定士が、中古車を評価査定して手書き入力した「オークション出品票」をデジタルカメラ等の画像記録装置で撮影し、その画像をパーソナルコンピュータに取り込むか、又はデータ通信機能を備えた小型カメラ付きの携帯電話でそのオークション出品票を撮影し、同様に撮影したその中古車の画像と共にインターネット等の通信手段を介して特定のネットオークション会社の管理サーバ３へ任意の時間に任意の場所から画像データとして送信することができる。この場合、オークション出品票の全体を撮影して、一括して管理サーバ３へ送信してもよいし、オークション出品票を少なくとも２つの部分に分割して撮影し、そのそれぞれの部分を分けて送信してもよい。
【００２２】
図５は、このときに使用する「オークション出品票」の一例である。図示したように、車名，走行距離等を所定の欄に記入する。「注意事項」と「検査員報告」の欄には、事故歴や傷の有無等を手書きで記入する。傷のある場所は、右下の車の展開図に所定の記号、例えばＡ１，Ｕ１を記入することによって表記する。
【００２３】
一方、競売会場認定の査定士は、過去に競売にかけられた中古車のデータが蓄積されているデータベースサーバ４から各種の情報を専用端末１−１〜１−ｎを通じて取り出し、送信したその売手業者の中古車の評価査定の目安とすることができる。この情報は、過去に競売にかけられた中古車の影像データ，仕様データ，落札価格等である。売手業者の中古車に関するこれらのデータ及びその競売会場認定の査定士が行った評価査定結果は、管理サーバ３に送信される。これによって、その中古車の競売の登録が完了する。
【００２４】
また、売手業者の中古車の価格査定は、競売会場認定の査定士の代わりにこの管理サーバ３によって価格査定に限り行うこともできる。図４は、この場合の中古車の出品登録に関する手続きを説明するフローチャートである。まず、競売会場認定の査定士又は売手業者が、上述したように専用端末１−１〜１−ｎを通じて競売にかけたい中古車のオークション出品票とその中古車の画像データを管理サーバ３に送信する。管理サーバ３は、データサーバ４中に蓄積された過去の競売データとこの送信された中古車のデータをオペレーションリサーチ分析し、その中古車に割付けた登録番号やその中古車の価格査定結果を専用端末１−１〜１−ｎに転送する。そして、例えば図６中に示したようなその中古車の登録番号，（落札想定）最低価格，落札想定査定価格及び（落札想定）最高価格が、その専用端末１−１〜１−ｎ上に表示される。
【００２５】
売手業者が、その価格査定結果に満足したときは、同意した旨の意思を、例えば「□出品登録する」をクリック又はキー入力することによって管理サーバ３に伝えて競売の登録を終える。売手業者がその価格査定結果に満足しないときは、同意しない旨の意思を、例えば「□出品しない」をクリック又はキー入力することによって管理サーバ３に伝え、出品を中止することができる。
【００２６】
図６中の価格査定結果の表示内容は、競売会場認定の査定士又は売手業者に過去の落札データをもとに選択の余地を与えるように、競売会場認定の査定士又は売手業者が、上述した出品登録を終える前に、例えば過去の落札価格を目安にして、希望するスタート価格を専用端末１−１〜１−ｎから任意に追加入力できるようにしてもよい。
【００２７】
管理サーバ３の登録情報がオークションサーバ５に送信されると、リアルタイムの競売が可能になる。競売中は、オークションサーバ５が競売を管理する。各買手業者が、買手業者の専用端末２−１〜２−ｎからオークションサーバ５にアクセスすることによって、又は上述した「指し値」が自動入力されることによって、競売が開始する。各買手業者が、専用端末２−１〜２−ｎ上に表示された中古車出品リスト（図示せず）から中古車を選択すると、その中古車の競売情報が、図７中に示したようにその専用端末２−１〜２−ｎ上に表示される。しかも、各買手業者は、競売中にデータベースサーバ４から過去の競売情報にアクセスすることができるので、その情報を目安にして応札価格を決定することができる。
【００２８】
落札結果及び落札された中古車の情報が、オークションサーバ５から通信回線ｅ，ｄを通じて電子メール等の通信手段によって専用端末１−１〜１−ｎ，２−１〜２−ｎに送信され、かつ通信回線ｂ，ｃを通じてデータサーバ４に送信され、後の価格査定と競売用のデータとしてこのデータサーバ４中に記憶される。
以上の説明では中古車を例に説明したが、本発明のネット競売システムは、その他のあらゆる物品、例えば新車，新古車，パーツ，船舶，住宅，コンパクトディスク等にも適用可能である。
【００２９】
【発明の効果】
以上により、本発明のネット競売システムは、物品の検索やオペレーションリサーチ又は出品から価格査定，登録，落札までの一連の処理をコンピューターネットワークによって完全に自動化できる。具体的には：
・全国各地に点在する競売会場に出品されている多数の中古車に関するデータ若しくは全国各地に点在して住んでいる多数の売手業者が専用端末を通じて送信したその売手業者の中古車に関するデータを専用端末を通じて容易に検索やオペレーションリサーチすることができる。
・デジタルカメラでその中古車を撮影し、その画像をパーソナルコンピュータに取り込むか、又はデータ通信機能を備えた小型カメラ付きの携帯電話でその中古車を撮影し、この画像データをその中古車に関する必要なデータと共にインターネット等の通信手段を介して特定のネットオークション会社に送信することによって、中古車の出品手続きが簡単になる。
・管理サーバが価格を自動査定することによって、中古車の価格査定の手続きが従来よりも簡単になる。
・以上の物品の検索やオペレーションリサーチ又は出品から価格査定，登録，落札までの一連の処理は、買手業者又は売手業者が専用端末を用いることによって任意の時間に任意の場所で行うことができる。
【図面の簡単な説明】
【図１】従来の中古車競売システムを示す。
【図２】本発明のネット競売システムを示す。
【図３】買手業者が図２のネット競売システムの下で携帯電話を使用して、希望する中古車を検索又はオペレーションリサーチしてマッチングデータのみを瞬時にレスポンスする手順の一例を示す。
【図４】中古車の価格査定及び出品登録の手続きの流れを説明するフローチャートである。
【図５】売手業者（競売会場認定の査定士）が、出品しようとする中古車の情報を書込むための出品票用紙の一例を示す。
【図６】中古車販売業者又は売手業者の専用端末上に表示される価格査定結果画面の一例を示す。
【図７】買手業者の各専用端末上に表示される競売情報画面の一例を示す。
【符号の説明】
Ａ　　ホストコンピュータ
Ｂ１−ｎ　　　　　中継コンピュータ
Ｃ１１−ｍｎ　，Ｃ　　端末コンピュータ
Ｄ　　録画装置
１−１〜１−ｎ　　中古車販売業者又は売手業者の専用端末
２−１〜２−ｎ　　買手業者の専用端末
３　　管理サーバ
４　　データベースサーバ
５　　オークションサーバ
６　　サイトスティック（商標登録）又はクイックアクセス（商標登録）
７　　専用端末
ａ〜ｆ　通信回線
【図１】
2004054856.tif 000003
【図２】
2004054856.tif 000004
【図３】
2004054856.tif 000005
【図４】
2004054856.tif 000006
【図５】
2004054856.tif 000007
【図６】
2004054856.tif 000008
【図７】
2004054856.tif 000009